(57)【要約】【課題】引戸の種々の板厚に対応することができ、かつ、引戸の戸当たり面側から見ても見栄えのよい調整機能付き引手を提供する。【解決手段】引戸１の戸当たり面２に切り欠き２ａが設けられ、この切欠き２ａに取り付けられる調整機能付き引手１０、１１０であって、引戸１の表面３ａ側に取り付けられ、指を入れるための第１凹部Ｓ１が表面３ａ側に構成される第１引手部材２０，１２０と、引戸１の裏面３ｂ側に取り付けられ、指を入れるための第２凹部Ｓ２が裏面３ｂ側に構成される第２引手部材３０、１３０とを備え、第１引手部材２０、１２０と第２引手部材３０、１３０とを取り付けた状態で、第１引手部材２０、１２０と第２引手部材３０、１３０との間に生じる隙間Ｑを戸当たり面２側から覆う目隠し部材２６、１２６が設けられている。【選択図】図４
2019132021.tif 000002
【特許請求の範囲】
【請求項１】
引戸の戸当たり面に切り欠きが設けられ、この切欠きに取り付けられる調整機能付き引手であって、
前記引戸の表面側に取り付けられ、指を入れるための第１凹部が前記表面側に構成される第１引手部材と、前記引戸の裏面側に取り付けられ、指を入れるための第２凹部が前記裏面側に構成される第２引手部材とを備え、
前記第１引手部材と前記第２引手部材とを取り付けた状態で、前記第１引手部材と前記第２引手部材との間に生じる隙間を前記戸当たり面側から覆う目隠し部材が設けられていることを特徴とする調整機能付き引手。
【請求項２】
前記目隠し部材は、前記第１引手部材または前記第２引手部材のいずれか一方に一体に構成された嵌合突起であり、前記第１引手部材および前記第２引手部材のいずれか一方または両方は、前記引戸の板厚方向へスライドさせて前記引戸を挟み込むようにして取り付けられるようになっており、
前記第１引手部材または前記第２引手部材のいずれか他方に設けられた嵌合溝に前記嵌合突起を板厚方向へ嵌合長さを調整可能に嵌合させたことを特徴とする請求項１に記載の調整機能付き引手。
【請求項３】
前記第１引手部材または前記第２引手部材のいずれか一方には、引戸の切欠きの奥側面に沿って配置され、前記奥側面に取り付けられる取付面部が設けられ、前記第１引手部材または前記第２引手部材のいずれか他方には、前記取付面部を戸当たり面側から覆う第２目隠し部材が設けられていることを特徴とする請求項１に記載の調整機能付き引手。
【請求項４】
前記第１引手部材または前記第２引手部材のいずれか一方または両方には、前記戸当たり面側からそれぞれの前記第１凹部または前記第２凹部に指を入れるための開口が形成されていることを特徴とする請求項１から請求項３のいずれか１つに記載の調整機能付き引手。
【発明の詳細な説明】
【技術分野】
【０００１】
本発明は、建屋の引戸に取り付けられる引手に関する。
【背景技術】
【０００２】
引戸の戸当たり面（木口面）には、利用者がこの引戸を開閉させるための引手が取り付けられる。この引手には、利用者が引戸を正面から見た表面側および裏面側の両方に指を掛けるための凹部が形成されており、利用者はこの凹部を掴んで引戸を開閉方向へと移動させる。
【０００３】
例えば、特許文献１で開示される引手は、引戸の表面側および裏面側に凹部を設けるとともに、戸当たり面に指入れ用の隙間を設けて戸当たり面側から凹部に指が掛けられるように工夫したものである。この引手は、引戸の板厚に合わせた厚みで一体に製作され、この引手の全体を戸当たり面に形成された切欠きに嵌め込むようにして取り付けられる。
【０００４】
また、特許文献２で開示される引手は、特に図５に示されるように、表面側および裏面側に引手をそれぞれ取り付けて、表面側および裏面側に凹部を構成するものである。
【先行技術文献】
【特許文献】
【０００５】
【特許文献１】特開２０１７−０９６００５号公報
【特許文献２】特開２０１６−２２３１０８号公報
【発明の概要】
【発明が解決しようとする課題】
【０００６】
引戸の板厚は、建屋によって様々である。また、引手は、引っ掛かりなどを防止するために、引戸の表面側および裏面側とほぼ面一、或いは、若干突出している程度が好ましい。しかしながら、特許文献１で開示される引手では、適用可能な引戸の板厚が特定されてしまい、異なる板厚の引戸には適用することができない。そのため、サイズの異なる種々の引戸に適用する場合には複数の引手を用意しておく必要があり、製作コストや管理費用がかかってしまう。
【０００７】
また、特許文献２の引手では、２つの引手と引戸の表側面（裏側面）とをほぼ面一に配置して種々の板厚に適用した場合、２つの引手の間に隙間が生じてしまう場合がある。そのため、戸当たり面側から見て隙間が見えてしまい見栄えが悪い。なお、特許文献２の発明は、引手と引戸の表面側（裏側面）とをほぼ面一に配置するためのものではない。
【０００８】
本発明は、上述した事情を鑑みてなされたものであり、その目的は、引戸の種々の板厚に対応することができ、かつ、引戸の戸当たり面側から見ても見栄えのよい調整機能付き引手を提供するためのものである。
【課題を解決するための手段】
【０００９】
上述課題を解決するため、本発明は、引戸の戸当たり面に切り欠きが設けられ、この切欠きに取り付けられる調整機能付き引手であって、前記引戸の表面側に取り付けられ、指を入れるための第１凹部が前記表面側に構成される第１引手部材と、前記引戸の裏面側に取り付けられ、指を入れるための第２凹部が前記裏面側に構成される第２引手部材とを備え、前記第１引手部材と前記第２引手部材とを取り付けた状態で、前記第１引手部材と前記第２引手部材との間に生じる隙間を前記戸当たり面側から覆う目隠し部材が設けられていることを特徴とする。
【００１０】
また、前記目隠し部材は、前記第１引手部材または前記第２引手部材のいずれか一方に一体に構成された嵌合突起であり、前記第１引手部材および前記第２引手部材のいずれか一方または両方は、前記引戸の板厚方向へスライドさせて前記引戸を挟み込むようにして取り付けられるようになっており、前記第１引手部材または前記第２引手部材のいずれか他方に設けられた嵌合溝に前記嵌合突起を板厚方向へ嵌合長さを調整可能に嵌合させるようにしてもよい。
【００１１】
さらに、前記第１引手部材または前記第２引手部材のいずれか一方には、引戸の切欠きの奥側面に沿って配置され、前記奥側面に取り付けられる取付面部が設けられ、前記第１引手部材または前記第２引手部材のいずれか他方には、前記取付面部を戸当たり面側から覆う第２目隠し部材が設けられていてもよい。
【００１２】
さらにまた、前記第１引手部材または前記第２引手部材のいずれか一方または両方には、前記戸当たり面側からそれぞれの前記第１凹部または前記第２凹部に指を入れるための開口が形成されていてもよい。
【発明の効果】
【００１３】
本発明に係る調整機能付き引手では、第１引手部材と第２引手部材とを取り付けた状態で、第１引手部材と第２引手部材との間に生じる隙間を戸当たり面側から覆う目隠し部材が設けられているので、第１引手部材と第２引手部材の前後方向の位置を引戸の板厚に合わせて調整したとしても、戸当たり面側から見て隙間が見えないので、調整機能付き引手の戸当たり面側から見た見栄えを良好に保つことができる。
【図面の簡単な説明】
【００１４】
【図１】第１実施形態に係る調整機能付き引手を戸当たり面の切欠きに取り付けた状態を示す斜視図である。
【図２】切欠きに表面側引手部材を取り付ける状態を示す斜視図である。
【図３】表面側引手部材が取り付けられた後に裏面側引手部材を切欠きに取り付ける状態を示す斜視図である。
【図４】図１のＡ−Ａ断面図であって、（Ａ）は引戸の板厚が厚いもの、（Ｂ）は板厚が薄いものを示すものである。
【図５】表面側引手部材を凹部側から見た斜視図である。
【図６】図５を裏側から見た斜視図である。
【図７】裏面側引手部材を凹部側から見た斜視図である。
【図８】図７を裏側から見た斜視図である。
【図９】図８を斜め右側から見た斜視図である。
【図１０】第１実施形態の変形例であって、（Ａ）は引戸の板厚が厚いものの断面図、（Ｂ）は板厚が薄いものの断面図を示すものである。
【図１１】第２実施形態に係る調整機能付き引手を戸当たり面の切欠きに取り付けた状態を示す斜視図である。
【図１２】切欠きに裏面側引手部材を取り付ける状態を示す斜視図である。
【図１３】裏面側引手部材が取り付けられた後に表面側引手部材を切欠きに取り付ける状態を示す斜視図である。
【図１４】図１のＢ−Ｂ断面図であって、（Ａ）は引戸の板厚が厚いもの、（Ｂ）は板厚が薄いものを示すものである。
【図１５】裏面側引手部材を凹部側から見た斜視図である。
【図１６】図１５を裏側から見た斜視図である。
【図１７】表面側引手部材を凹部側から見た視図である。
【図１８】図１７を裏側から見た斜視図である。
【発明を実施するための最良の形態】
【００１５】
（第１実施形態）
以下、第１実施形態に係る調整機能付き引手１０について、図面を用いて詳細に説明する。
図１は、調整機能付き引手１０を戸当たり面の切欠きに取り付けた状態を示す斜視図である。また、図２は、切欠きに表面側引手部材を取り付ける状態を示す斜視図、図３は、表面側引手部材が取り付けられた後に裏面側引手部材を切欠きに取り付ける状態を示す斜視図である。さらに、図４は、図１のＡ−Ａ断面図であって、（Ａ）は引戸の板厚が厚いもの、（Ｂ）は板厚が薄いものを示すものである。
【００１６】
なお、以下の説明で使用する「左側」「右側」「前側」「後側」「上側」「下側」とは、図１〜図４に示す方向をいうものとする。
【００１７】
引戸１は、左右方向（開閉方向）へ移動させることで、建屋の開口部を開閉するものである。この引戸１の戸当たり面２には、図１〜図３に示すように、戸当たり面２から右側に向けて角形に切り欠かれた切欠き２ａが形成されており、この切欠き２ａに調整機能付き引手１０が取り付けられる。この調整機能付き引手１０は、取り付けられた状態で、引戸の表面３ａ、裏面３ｂ、戸当たり面２のそれぞれとほぼ面一か少しだけ突出する程度になる。
【００１８】
調整機能付き引手１０は、図１〜図４に示すように、引戸１の表面３ａ側に取り付けられ、利用者が指を入れるための表面側凹部（第１凹部）が表面３ａ側に構成される表面側引手部材２０（第１引手部材）と、引戸１の裏面３ｂ側に取り付けられ、指を入れるための裏面側凹部（第２凹部）が裏面３ｂ側に構成される裏面側引手部材３０（第２引手部材）とで構成されている。また、この調整機能付き引手１０は、図４に示すように、引戸１の板厚寸法がＬ１（板厚が厚いもの）から、Ｌ２（板厚が薄いもの）まで調整して取り付けられるものである。この機能についての詳細は後述する。
【００１９】
図５は、表面側引手部材を凹部側から見た斜視図、図６は、図５を裏側から見た斜視図である。また、図７は、裏面側引手部材を凹部側から見た斜視図、図８は、図７を裏側から見た斜視図、図９は、図８を斜め右側から見た斜視図である。
【００２０】
表面側引手部材２０は、図５および図６に示すように、その外観が上下方向に延びる角柱形状を成しており、その内部を中空にして表面側凹部Ｓ１が形成されている。この表面側引手部材２０の上下方向の長さは、切欠き２ａの上下方向の長さと同じであり、左右方向の長さは、切欠き２ａの左右方向の長さと同じである。また、表面側引手部材２０の前後方向（引戸１の板厚方向）の長さは、図４（Ｂ）に示すように、引戸１の最小厚さＬ２の半分或いは半分よりも若干短くなるように形成されている。
【００２１】
表面側引手部材２０は、上側および下側にそれぞれ配置された端壁部２１、２１と、右側面（戸当たり面２側から見た奥側面）を構成する取付面部２２と、後側面を構成する凹部底部２３と、左側面を構成する指掛け部２４とで構成されている。また、表面側引手部材２０の前面には、表面側凹部Ｓ１と連通し、利用者が指を入れるための主開口Ｆ１が形成されている。
【００２２】
端壁部２１および取付面部２２は、図２および図３に示すように、切欠き２ａの上下面および右側面（奥側面）と当接するようにして取り付けられる。また、端壁部２１の前側縁部および取付面部２２の前側縁部には、図５に示すように、上下および右側の外方へ突出するフランジ部２５が連続してコ字状に形成されている。このフランジ部２５は、表面側引手部材２０が取り付けられた状態で、切欠き２ａの前側の角部を覆うようになっている。
【００２３】
また、取付面部２２には、図５および図６に示すように、上側および下側に取付皿穴２２ａがそれぞれ設けられている。この取付皿穴２２ａには、図示しない皿ねじが挿通され、図３に示すように、切欠き２ａの右側面に固定されるようになっている。
【００２４】
さらに、取付面部２２には、図６に示すように、凹部底部２３よりも後側に向けて突出する嵌め込み部２９が上下方向に連続して形成されている。また、この嵌め込み部２９の上端および下端には、角状の切欠き部２９ａ、２９ａがそれぞれ形成されている。この嵌め込み部２９は、詳細は後述する裏面側引手部材３０の嵌め込み部３９に前後方向（引戸の板厚方向）に沿って嵌め込まれるようにして取り付けられる。
【００２５】
凹部底部２３は、図６に示すように、左側（戸当たり面側）の部分に位置し、後側に向けて突出する嵌合突起２６（目隠し部材）が形成されている。この嵌合突起２６は、上端に位置する端壁部２１と下端に位置する端壁部２１との間に亘って上下方向に連続して形成されている。この嵌合突起２６は、詳細は後述する裏面側引手部材３０の嵌合溝３６に前後方向（引戸の板厚方向）に沿って嵌め込まれるようにして取り付けられる。
【００２６】
指掛け部２４は、図４および図５に示すように、左側面の後側部分のみを覆うようにして設けられている。また、前側部分を覆わないことで、この部分に戸当たり面側の開口Ｆ２を形成している。また、指掛け部２４は、図４に示すように、左右方向に厚みを持たせることで、指が掛かり易いようにしている。
【００２７】
また、指掛け部２４の左側面には、左側に向けて外方向へ突出する２つの突条部２７、２７が形成されている。この突条部２７、２７は、上下方向に連続して形成されており、この２つの突条部２７、２７の間に溝部２８が形成されている。
【００２８】
このような表面側引手部材２０の取付方法としては、図２および図３に示すように、フランジ部２５が切欠き２ａの前側の角部を覆うようにして、切欠き２ａの前側部分に配置される。そして、取付面部２２と切欠き２ａの右側面とを面で当接させ、上述した皿ねじ（図示せず）を締め込むことで取り付けられる。
【００２９】
裏面側引手部材３０は、図７〜図９に示すように、その外観が上下方向に延びる角柱形状を成しており、その内部を中空にして裏面側凹部Ｓ２が形成されている。より詳細には、裏面側引手部材３０は、上側および下側にそれぞれ配置された端壁部３１、３１と、右側面を構成する取付面部３２と、前側面を構成する凹部底部３３と、左側面を構成する指掛け部３４とで構成されている。また、裏面側引手部材３０の後面には、裏面側凹部Ｓ２と連通し、利用者が指を入れるための主開口Ｂ１が形成されている。
【００３０】
端壁部３１および取付面部３２は、図３に示すように、切欠き２ａの上下面および右側面と当接するようにして取り付けられる。また、端壁部３１の後側縁部および取付面部３２の後側縁部には、図５に示すように、上下および右側の外方へ突出するフランジ部３５が連続してコ字状に形成されている。このフランジ部３５は、裏面側引手部材３０が取り付けられた状態で、切欠き２ａの後側の角部を覆うようになっている。
【００３１】
また、取付面部３２には、図７および図９に示すように、上側および下側に取付皿穴３２ａがそれぞれ設けられている。この取付皿穴３２ａには、図示しない皿ねじが挿通され、切欠き２ａの右側面に固定されるようになっている。
【００３２】
さらに、取付面部３２には、図９に示すように、凹部底部３３よりも後側に向けて凹んだ嵌め込み部３９が上下方向に連続して形成されている。また、この嵌め込み部３９の上端および下端には、嵌め込み部３９が形成されておらず、角状の突部３９ａ、３９ａがそれぞれ形成されている。この嵌め込み部３９には、表面側引手部材２０の嵌め込み部２９が前後方向（引戸の板厚方向）に沿って嵌め込まれるようにして取り付けられる。
【００３３】
凹部底部３３は、図８および図９に示すように、左側（戸当たり面側）の部分に位置し、後側に向けて凹んだ嵌合溝３６が形成されている。この嵌合溝３６は、上端に位置する端壁部２１と下端に位置する端壁部２１との間に亘って上下方向に連続して形成されている。この嵌合溝３６には、表面側引手部材２０の嵌合突起２６が前後方向（引戸の板厚方向）に沿って嵌め込まれるようにして取り付けられる。
【００３４】
指掛け部３４は、図４および図７に示すように、左側面の前側部分のみを覆うようにして設けられている。また、後側部分を覆わないことで、この部分に戸当たり面側の開口Ｂ２を形成している。また、指掛け部３４は、図４に示すように、左右方向に厚みを持たせることで、指が掛かり易いようにしている。
【００３５】
また、指掛け部３４の左側面には、左側に向けて外方向へ突出する２つの突条部３７、３７が形成されている。この突条部３７、３７は、上下方向に連続して形成されており、この２つの突条部３７、３７の間に溝部３８が形成されている。
【００３６】
このような裏面側引手部材３０の取付方法としては、図３に示すように、予め取り付けられた表面側引手部材２０に対して、Ｃ方向（引戸の板厚方向）にスライドさせて嵌め込むようにする。このようにＣ方向にスライドさせることで、表面側引手部材２０の嵌合突起２６および嵌め込み部２９が、裏面側引手部材３０の嵌合溝３６および嵌め込み部３９に嵌め込まれるようになる。そして、フランジ部３５が切欠き２ａの後側の角部を覆うように配置し、フランジ部２５、３５で引戸１を板厚方向に挟み込むようにする。その後、取付面部３２と切欠き２ａの右側面とを面で当接させ、２つの取付皿穴３２ａ、３２ａに皿ねじ（図示せず）を締め込むことで取り付けられる。
【００３７】
次に、第１実施形態における調整機能付き引手１０の作用を説明する。
この調整機能付き引手１０は、図４（Ａ）、（Ｂ）に示すように、引戸１の板厚が異なる場合であっても、引戸１の表面３ａおよび裏面３ｂと、調整機能付き引手１０の表面側および裏面側を、ほぼ面一或いは若干突出させる程度に取り付けることができる。すなわち、表面側引手部材２０の嵌合突起２６および嵌め込み部２９を、裏面側引手部材３０の嵌合溝３６および嵌め込み部３９に、引戸１の板厚方向にスライドさせて取り付けることで、これらの嵌合長さを調整して種々の板厚の引戸１に対応させることができる。
【００３８】
２つの引手部材２０、３０の嵌め込み部２９、３９を嵌合させた状態では、２つの引手部材２０、３０の左右方向の位置が規制され、左右方向のずれを生じさせない。また、裏面側引手部材３０の突部３９ａが表面側引手部材２０の切り欠き部２９ａに入り込むことによって、上下方向の位置が規制される。
【００３９】
また、２つの引手部材２０、３０を取り付けた状態では、図４（Ａ）に示すように、板厚が厚い場合に２つの引手部材２０、３０の間に隙間Ｑが生じてしまう。この隙間Ｑは、嵌合突起２６を嵌合溝３６に嵌合させることで、戸当たり面側から見えないようになる。より詳細には、嵌合突起２６が隙間Ｑを戸当たり面側から覆って見えないようにしている。
【００４０】
これらの構造により、調整機能付き引手１０は、利用者が引戸１の表面３ａ側から主開口Ｆ１を通して表面側凹部Ｓ１を掴むことができ、同様に引戸１の裏面３ｂ側から主開口Ｂ１を通して裏面側凹部Ｓ２を掴むことができるようになる。さらには、引戸１が戸袋内に入り込んだ状態、或いは、並走するもう一方の引戸と完全に重なった状態で、表面３ａ或いは裏面３ｂ側から凹部Ｓ１、Ｓ２を掴めない場合であっても、引戸１の戸当たり面側（左側端面）の開口Ｆ２、Ｂ２から指を入れて凹部Ｓ１、Ｓ２を掴んで移動させることができるようになる。
【００４１】
第１実施形態に係る調整機能付き引手１０によれば、引戸１の戸当たり面２に切り欠き２ａが設けられ、この切欠き２ａに取り付けられる調整機能付き引手１０であって、引戸１の表面３ａ側に取り付けられ、指を入れるための表面側凹部Ｓ１が表面３ａ側に構成される表面側引手部材２０と、引戸１の裏面３ｂ側に取り付けられ、指を入れるための裏面側凹部Ｓ２が裏面３ｂ側に構成される裏面側引手部材３０とを備え、表面側引手部材２０と裏面側引手部材３０とを切欠き２ａに取り付けた状態で、表面側引手部材２０と裏面側引手部材３０との間に生じる隙間Ｑを戸当たり面２側から覆う嵌合突起２６が設けられているので、表面側引手部材２０と裏面側引手部材３０の前後方向の位置を引戸の板厚に合わせて調整したとしても、戸当たり面２側から見て隙間Ｑが見えないので、調整機能付き引手１０の戸当たり面２側から見た見栄えを良好に保つことができる。
【００４２】
また、嵌合突起２６は、表面側引手部材２０に一体に構成され、表面側引手部材２０を引戸１の板厚方向へスライドさせて引戸１を挟み込むようにして取り付けられるようになっており、裏面側引手部材３０に設けられた嵌合溝３６に嵌合突起２６を板厚方向へ嵌合長さを調整可能に嵌合させているので、引戸１の板厚が厚いもの（Ｌ１寸法）から薄いもの（Ｌ２寸法）までスライドして調整したとしても、嵌合突起２６も嵌合溝３６にスライドして入出するため、隙間Ｑを常に覆い隠すことができる。
【００４３】
さらに、表面側引手部材２０または裏面側引手部材３０には、戸当たり面２側からそれぞれの表面側凹部Ｓ１または裏面側凹部Ｓ２に指を入れるための開口Ｆ２、Ｂ２が形成されているので、利用者が戸当たり面２側から開口Ｆ２、Ｂ２に指を入れて、それぞれの凹部Ｓ１、Ｓ２を掴むことができる。そのため、引戸１の表面３ａおよび裏面３ｂから凹部Ｓ１、Ｓ２を掴めない場合であっても、引戸１を容易に開閉することができる。
【００４４】
以上、第１実施形態に係る調整機能付き引手１０について述べたが、本発明は既述の実施形態に限定されるものではなく、本発明の技術思想に基づいて各種の変形および変更が可能である。
例えば、本第１実施形態における表面側引手部材２０の嵌合突起２６と裏面側引手部材３０の嵌合溝３６をそれぞれ逆に構成してもよい。これによっても、嵌合突起が隙間Ｑを戸当たり面側から覆って見えないようにすることができる。
【００４５】
また、表面側引手部材２０の嵌め込み部２９と裏面側引手部材３０の嵌め込み部３９をそれぞれ逆に構成してもよい。
【００４６】
さらに、隙間Ｑを目隠しする嵌合突起２６を別部材で機能させてもよい。図１０は、第１実施形態の変形例であって、（Ａ）は引戸の板厚が厚いものの断面図、（Ｂ）は板厚が薄いものの断面図を示すものである。
【００４７】
図１０に示す調整機能付き引手５０は、切欠き２ａ内の前後方向の中央に配置された指掛け部材６０と、表面３ａ側に配置された表面側引手部材５０ａと、裏面３ｂ側に配置された裏面側引手部材５０ｂとで構成されている。指掛け部材６０は、切欠き２ａの右側面（奥側面）と接する部分の前側および後側に突部６９、６９がそれぞれ設けられており、表面側引手部材５０ａおよび裏面側引手部材５０ｂには、板厚方向にスライドさせることで突部６９と嵌合する切欠き部５９が設けられている。
【００４８】
これらの突部６９と切欠き部５９との嵌合長さを調整することで、最大厚さＬ１から最小厚さＬ２までの板厚に対応することができる。また、指掛け部材６０を中央に配置することで、表面側引手部材５０ａと裏面側引手部材５０ｂとの間に生じる調整隙間を戸当たり面側から隠すことができる。
【００４９】
この構造によっても、表面側凹部Ｓ１を主開口Ｆ１および戸当たり面側開口Ｆ２から指を入れて掴むことができるとともに、裏面側凹部Ｓ２を主開口Ｂ１および戸当たり面側開口Ｂ２から掴むことができる。
【００５０】
（第２実施形態）
以下、第２実施形態に係る調整機能付き引手１１０について、図面を用いて詳細に説明する。
図１１は、調整機能付き引手１０を戸当たり面の切欠きに取り付けた状態を示す斜視図である。また、図１２は、切欠きに裏面側引手部材を取り付ける状態を示す斜視図、図１３は、裏面側引手部材が取り付けられた後に表面側引手部材を切欠きに取り付ける状態を示す斜視図である。さらに、図１４は、図１のＢ−Ｂ断面図であって、（Ａ）は引戸の板厚が厚いもの、（Ｂ）は板厚が薄いものを示すものである。
【００５１】
なお、以下の説明で使用する「左側」「右側」「前側」「後側」「上側」「下側」とは、図１１〜図１４に示す方向をいうものとする。
【００５２】
引戸１は、左右方向（開閉方向）へ移動させることで、建屋の開口部を開閉するものである。この引戸１の戸当たり面２には、図１〜図３に示すように、戸当たり面２から右側に向けて角形に切り欠かれた切欠き２ａが形成されており、この切欠き２ａに調整機能付き引手１１０が取り付けられる。この調整機能付き引手１１０は、取り付けられた状態で、引戸の表面３ａ、裏面３ｂ、戸当たり面２のそれぞれとほぼ面一か少しだけ突出する程度になる。
【００５３】
調整機能付き引手１１０は、図１１〜図１４に示すように、引戸１の表面３ａ側に取り付けられ、利用者が指を入れるための表面側凹部Ｓ１（第１凹部）が表面３ａ側に構成される表面側引手部材１２０（第１引手部材）と、引戸１の裏面３ｂ側に取り付けられ、指を入れるための裏面側凹部Ｓ２（第２凹部）が裏面３ｂ側に構成される裏面側引手部材１３０（第２引手部材）とで構成されている。また、この調整機能付き引手１１０は、図１４に示すように、引戸１の板厚寸法がＬ１（板厚が厚いもの）から、Ｌ２（板厚が薄いもの）まで調整して取り付けられるものである。この機能についての詳細は後述する。
【００５４】
図１５は、裏面側引手部材を凹部側から見た斜視図、図１６は、図１５を裏側から見た斜視図である。また、図１７は、表面側引手部材を凹部側から見た斜視図、図１８は、図１７を裏側から見た斜視図である。
【００５５】
裏面側引手部材１３０は、図１５および図１６に示すように、その外観が上下方向に延びる角柱形状を成しており、その内部を中空にして表面側凹部Ｓ１が形成されている。この裏面側引手部材１３０の上下方向の長さは、切欠き２ａの上下方向の長さと同じであり、左右方向の長さは、切欠き２ａの左右方向の長さと同じである。また、裏面側引手部材１３０の前後方向（引戸１の板厚方向）の長さは、図１４（Ｂ）に示すように、引戸１の最小厚さＬ２と同じ或いは若干短くなるように形成されている。
【００５６】
裏面側引手部材１３０は、上側および下側にそれぞれ配置された端壁部１３１、１３１と、右側面（戸当たり面２側から見た奥側面）を構成する取付面部１３２と、後側面を構成する凹部底部１３３と、左側面を構成する指掛け部１３４とで構成されている。また、裏面側引手部材１３０の前面には、表面側凹部Ｓ１と連通し、利用者が指を入れるための主開口Ｆ１が形成されている。
【００５７】
端壁部１３１は、図１２および図１３に示すように、切欠き２ａの上下面とそれぞれ当接するようにして取り付けられる。また、上下の２つの端壁部１３１、１３１には、図１５および図１６に示すように、左側（戸当たり面側）の部分に位置し、後側に向けて凹んだ嵌合溝１３６、１３６がそれぞれ形成されている。これらの上下の２つの嵌合溝１３６、１３６には、詳細は後述する表面側引手部材１２０の嵌合突起１２６が前後方向（引戸の板厚方向）に沿って嵌め込まれるようにして取り付けられる。
【００５８】
また、２つの端壁部１３１、１３１の内側面（表面側凹部Ｓ１と対向する面）には、前後方向に向けて延びる２つのスライド凹部１３９ｂ、１３９ｂが連続してそれぞれ形成されている。これらのスライド凹部１３９ｂ、１３９ｂには、詳細は後述する表面側引手部材１２０のスライド凸部１２９ｂ、１２９ｂが前後方向にスライド可能に取り付けられる。
【００５９】
取付面部１３２は、切欠き２ａの右側面（奥側面）と当接するようにして取り付けられる。取付面部１３２の後側縁部には、図１５および図１６に示すように、右側の外方へ突出するフランジ部１３５が上下方向に連続して形成されている。このフランジ部１３５は、裏面側引手部材１３０が取り付けられた状態で、切欠き２ａの後側の角部を覆うようになっている。
【００６０】
また、取付面部１３２には、図１５および図１６に示すように、上側および下側に取付皿穴１３２ａ、１３２ａがそれぞれ設けられている。この取付皿穴１３２ａには、図示しない皿ねじが挿通され、切欠き２ａの右側面に固定されるようになっている。
【００６１】
さらに、取付面部１３２には、取付皿穴１３２ａ、１３２ａの近くに、前側端面から後側に延びる２つの切欠き部１３９ａ、１３９ａがそれぞれ形成されている。これらの切欠き部１３９ａ、１３９ａには、詳細は後述する表面側引手部材１２０の木部食い込み部１２９ａが入り込むようになる。
【００６２】
凹部底部１３３の裏面側には、図１６に示すように、中央のほぼ全面に亘って裏面側凹部Ｓ２が形成されている。この凹部底部１３３の裏面側は、調整機能付き引手１１０を取り付けた状態で、引戸１の裏側にそのまま露出するようになり、主開口Ｂ１から裏面側凹部Ｓ２に指が入れられるようになっている。
【００６３】
指掛け部１３４は、図１４および図１５に示すように、左側面の後側部分の約半分のみを覆うようにして設けられている。また、前側部分を覆わないことで、この部分に戸当たり面側の開口Ｆ２を形成している。
【００６４】
このような裏面側引手部材１３０の取付方法としては、図１２および図１３に示すように、フランジ部１３５が切欠き２ａの前側の角部を覆うようにして、切欠き２ａの前側部分に配置される。そして、取付面部１３２と切欠き２ａの右側面とを面で当接させ、上述した皿ねじ（図示せず）を締め込むことで取り付けられる。
【００６５】
表面側引手部材１２０は、図１７および図１８に示すように、上下方向に長尺な略コ字形状を成しており、コ字形状の内部に表面側凹部Ｓ１が形成されている。この表面側引手部材１２０の上下方向の長さは、切欠き２ａの上下方向の長さと同じであり、左右方向の長さは、図１４（Ａ）および図１４（Ｂ）に示すように、裏面側引手部材１３０の表面側凹部Ｓ１の左右方向の長さとほぼ同じである。また、表面側引手部材１２０の前後方向（引戸１の板厚方向）の長さは、図１４（Ｂ）に示すように、引戸１の最小厚さＬ２のときに裏面側引手部材１３０の表面側凹部Ｓ１の前後方向の長さとほぼ同じになるように形成されている。
【００６６】
表面側引手部材１２０は、上側および下側にそれぞれ配置された端壁部１２１、１２１と、右側面を構成するスライド面部１２２（第２目隠し部材）とで構成されている。また、表面側引手部材１２０の前面には、表面側凹部Ｓ１と連通し、利用者が指を入れるための主開口Ｆ１が形成されている。
【００６７】
端壁部１２１は、図１７および図１８に示すように、切欠き２ａの上下面と当接するようにして取り付けられる。また、上下の２つの端壁部１２１、１２１には、図１７および図１８に示すように、左側（戸当たり面側）の部分に前後方向に延びる嵌合突起１２６がそれぞれ形成されている。上側の端壁部１２１に形成された嵌合突起１２６は、上側の端壁部１２１よりもさらに上側に突出しており、下側の端壁部１２１に形成された嵌合突起１２６は、下側の端壁部１２１よりもさらに下側に突出している。
【００６８】
さらに、２つの端壁部１２１、１２１の外側面（表面側凹部Ｓ１と反対側の面）には、前後方向に向けて延びる２つのスライド凸部１２９ｂ、１２９ｂが連続してそれぞれ形成されている。
【００６９】
スライド面部１２２は、図１４（Ａ）および図１４（Ｂ）に示すように、スライド面部１２２の外側面が、裏面側引手部材１３０の取付面部１３２の内側面と接するように取り付けられる。スライド面部１２２の前側縁部には、図１７および図１８に示すように、右側の外方へ突出するフランジ部１２５が上下方向に連続して形成されている。このフランジ部１２５は、裏面側引手部材１３０が取り付けられた状態で、切欠き２ａの前側の角部を覆うようになっている。
【００７０】
また、スライド面部１２２には、図１８に示すように、フランジ部１２５の後側から後側に延びる木部食い込み部１２９ａが設けられている。この木部食い込み部１２９ａは、スライド面部１２２の前後方向の中央まで延在しており、フランジ部１２５側から中央に向かうに従い左側方向へ傾斜する傾斜面が形成されている。この傾斜面には、固定用の複数の凹凸（食い込み歯）が形成されている。
【００７１】
このような表面側引手部材１２０の取付方法としては、図１３に示すように、予め取り付けられた裏面側引手部材１３０に対して、Ｄ方向（引戸の板厚方向）にスライドさせて嵌め込むようにする。このようにＤ方向にスライドさせることで、表面側引手部材１２０の嵌合突起１２６およびスライド凸部１２９ｂが、裏面側引手部材１３０の嵌合溝１３６およびスライド凹部１３９ｂに嵌め込まれるようになる。そして、フランジ部１３５が切欠き２ａの前側の角部を覆うように配置し、フランジ部１２５、１３５で引戸１を板厚方向に挟み込むようにする。
【００７２】
また、表面側引手部材１２０のこのスライド面部１２２には、取付用の皿穴は開けられておらず、皿ねじで固定するものではない。この表面側引手部材１２０の固定は、上述した木部食い込み部１２９ａを裏面側引手部材１３０の切欠き部１３９ａに入り込ませることで行われる。また、木部食い込み部１２９ａの食い込み歯は、引戸１の切欠き部２ａの右側面の角部に食い込むことで、表面側引戸部材１２０が引戸１に対して固定される。なお、表面側引手部材１２０の木部食い込み部１２９ａは、接着剤を用いることでより強固に固定することもできる。
【００７３】
次に、第２実施形態における調整機能付き引手１１０の作用を説明する。
この調整機能付き引手１１０は、図１４（Ａ）、（Ｂ）に示すように、引戸１の板厚が異なる場合であっても、引戸１の表面３ａおよび裏面３ｂと、調整機能付き引手１１０の表面側および裏面側を、ほぼ面一或いは若干突出させる程度に取り付けることができる。すなわち、表面側引手部材１２０の嵌合突起１２６およびスライド凸部１２９ｂを、裏面側引手部材１３０の嵌合溝１３６およびスライド凹部１３９ｂに、引戸１の板厚方向にスライドさせて取り付けることで、これらの嵌合長さを調整して種々の板厚の引戸１に対応させることができる。
【００７４】
２つの引手部材１２０、１３０のスライド凸部１２９ｂとスライド凹部１３９ｂをスライドして嵌合させた状態では、２つの引手部材２０、３０の左右方向の位置が規制され、左右方向のずれを生じさせない。また、表面側引手部材１２０の木部食い込み部１２９ａが裏面側引手部材１３０の切り欠き部１３９ａに入り込むことによって、上下方の位置が規制される。
【００７５】
また、２つの引手部材１２０、１３０を取り付けた状態では、図１４（Ａ）に示すように、板厚が厚い場合に２つの引手部材２０、３０の間に隙間Ｑ１が生じてしまう。この隙間Ｑ１は、嵌合突起１２６を嵌合溝１３６に嵌合させることで、戸当たり面側から見えないようになる。より詳細には、嵌合突起１２６および指掛け部材６０が隙間Ｑ１を戸当たり面側から覆って見えないようにしている。
【００７６】
さらに、本第２実施形態では第１実施形態とは異なり、表面側引手部材１２０のスライド面部１２２が裏面側引手部材１３０の取付面部１３２を戸当たり面側から覆う構造になっている。そのため、表面側引手部材１２０と裏面側引手部材１３０との間に生じる隙間Ｑ２をスライド面部１２２が戸当たり面側から覆って見えないようにしている。
【００７７】
また、スライド面部１２２は、裏面側引手部材１３０の２つの取付皿穴１３２ａ、１３２ａ、固定する皿ねじ、および、切欠き部１３９ｂが戸当たり面側から見えないようになるという作用を奏する。これにより、取付ねじが見えない洗練された意匠が得られている。また、スライド面部１２２は、図１４（Ａ）に示すように、引戸１の最大厚さＬ１のときに、裏面側引手部材１３０の取付面部１３２の前側先端部から、引戸１の前側面３ａまでの間に生じる隙間Ｑ２が見えないようにしている。
【００７８】
これらの構造により、調整機能付き引手１１０は、利用者が引戸１の表面３ａ側から主開口Ｆ１を通して表面側凹部Ｓ１を掴むことができ、同様に引戸１の裏面３ｂ側から主開口Ｂ１を通して裏面側凹部Ｓ２を掴むことができるようになる。さらには、引戸１が戸袋内に入り込んだ状態、或いは、並走するもう一方の引戸と完全に重なった状態で、表面３ａ或いは裏面３ｂ側から凹部Ｓ１、Ｓ２を掴めない場合であっても、引戸１の戸当たり面側（左側端面）の開口Ｆ２から指を入れて表面側凹部Ｓ１を掴んで移動させることができるようになる。
【００７９】
第２実施形態に係る調整機能付き引手によれば、引戸１の戸当たり面２に切り欠き２ａが設けられ、この切欠き２ａに取り付けられる調整機能付き引手１１０であって、引戸１の表面３ａ側に取り付けられ、指を入れるための表面側凹部Ｓ１が表面３ａ側に構成される表面側引手部材１２０と、引戸１の裏面３ｂ側に取り付けられ、指を入れるための裏面側凹部Ｓ２が裏面３ｂ側に構成される裏面側引手部材１３０とを備え、表面側引手部材１２０と裏面側引手部材１３０とを取り付けた状態で、表面側引手部材１２０と裏面側引手部材１３０との間に生じる隙間Ｑ１を戸当たり面２側から覆う嵌合突起１２６が設けられているので、表面側引手部材１２０と裏面側引手部材１３０の前後方向の位置を引戸の板厚に合わせて調整したとしても、戸当たり面２側から見て隙間Ｑ１が見えないので、調整機能付き引手１１０の戸当たり面２側から見た見栄えを良好に保つことができる。
【００８０】
また、裏面側引手部材１３０には、引戸１の切欠き２ａの奥側面に沿って配置され、奥側面に取り付けられる取付面部１３２が設けられ、表面側引手部材１２０には、取付面部１３２を戸当たり面２側から覆うスライド面部１２２が設けられているので、表面側引手部材１２０と裏面側引手部材１３０の前後方向の位置を引戸の板厚に合わせて調整したとしても、戸当たり面２側から見て隙間Ｑ２が見えないので、調整機能付き引手１１０の戸当たり面２側から見た見栄えを良好に保つことができる。
【００８１】
また、スライド面部１２２は、取付面部１３２を切欠き２ａに取り付けるための皿ねじも戸当たり面２側から覆い隠すようになる。そのため、皿ねじの緩みなどを防止することができる。また、利用者から皿ねじが見えない洗練された意匠が得られる。
【００８２】
以上、第２実施形態に係る調整機能付き引手１１０について述べたが、本発明は既述の実施形態に限定されるものではなく、本発明の技術思想に基づいて各種の変形および変更が可能である。
例えば、本第２実施形態における表面側引手部材１２０と裏面側引手部材１３０をそれぞれの左右を逆にして取り付けるようにしてもよい。このようにすると、引戸１の戸当たり面側から見た戸当たり面側開口は、第２実施形態のような表面側に構成される開口Ｆ２ではなく、裏面側に構成される開口Ｂ２となる。
【符号の説明】
【００８３】
１  引戸
２  戸当たり面
２ａ  戸当たり面の切欠き
３ａ  引戸の表面
３ｂ  引戸の裏面
１０、５０、１１０  調整機能付き引手
２０、５０ａ、１２０  表面側引手部材（第１引手部材）
２１、３１、１２１、１３１  端壁部
２２、３２、１３２  取付面部
２２ａ、３２ａ、１２２ａ、１３２ａ  取付皿穴
２３、３３、１３３  凹部底部
２４、３４、１３４  指掛け部
２５、３５、５５、１２５、１３５  フランジ部
２６、１２６  嵌合突起（目隠し部材）
２７、３７、６７  突条部
２８、３８、６８  溝部
２９、３９  嵌め込み部
２９ａ、５９  切欠き部
３０、５０ｂ、１３０  裏面側引手部材（第２引手部材）
３６、１３６  嵌合溝
３９ａ、６９  突部
６０  指掛け部材（目隠し部材）
１２２  スライド面部（第２目隠し部材）
１２９ａ  木部食い込み部
１２９ｂ  スライド凸部
１３９ａ  切欠き部
１３９ｂ  スライド凹部
Ｃ、Ｄ  引手部材の取付方向
Ｌ１  引戸の最大厚さ
Ｌ２  引戸の最小厚さ
Ｓ１  引手の表面側凹部（第１凹部）
Ｓ２  引手の裏面側凹部（第２凹部）
Ｆ１、Ｂ１  主開口
Ｆ２、Ｂ２  戸当たり面側の開口
Ｑ、Ｑ１、Ｑ２  引手部材の間の隙間
【図１】
2019132021.tif 000003
【図２】
2019132021.tif 000004
【図３】
2019132021.tif 000005
【図４】
2019132021.tif 000006
【図５】
2019132021.tif 000007
【図６】
2019132021.tif 000008
【図７】
2019132021.tif 000009
【図８】
2019132021.tif 000010
【図９】
2019132021.tif 000011
【図１０】
2019132021.tif 000012
【図１１】
2019132021.tif 000013
【図１２】
2019132021.tif 000014
【図１３】
2019132021.tif 000015
【図１４】
2019132021.tif 000016
【図１５】
2019132021.tif 000017
【図１６】
2019132021.tif 000018
【図１７】
2019132021.tif 000019
【図１８】
2019132021.tif 000020